(57)【要約】【課題】浴水を最大限有効利用することができ、配管や継手内の洗浄を行うことができる洗濯機給水ホース接続用継手、それを用いた浴水の洗濯利用システム及びそのシステムにおける配管洗浄方法を提供する。【解決手段】継手本体１１１内にＵ字状に屈曲する通水路が形成され、該継手本体１１１の一側方に、前記通水路の両端にそれぞれ連通する配管接続部１１２，１１３が並列的に設けられ、該継手本体１１１の他側方に前記通水路の中央部に連通する洗濯機取水用のホース接続部１４が設けられている洗濯機給水ホース接続用継手１１である。【選択図】　図１
2004121401.tif 000002
【特許請求の範囲】
【請求項１】
継手本体内にＵ字状に屈曲する通水路が形成され、該継手本体の一側方に、前記通水路の両端にそれぞれ連通する配管接続部が並列的に設けられ、該継手本体の他側方に前記通水路の中央部に連通する洗濯機取水用のホース接続部が設けられていることを特徴とする洗濯機給水ホース接続用継手。
【請求項２】
請求項１に記載の洗濯機給水ホース接続用継手を用いた浴水の洗濯利用システムであって、前記ホース接続用継手のホース接続部に、洗濯機取水用ホースが接続され、前記各配管接続部に、それぞれ浴槽につながる浴水利用配管が接続され、浴水を各浴水利用配管及びホース接続用継手を経由して洗濯機取水用ホースから洗濯機に給水可能とされていることを特徴とする浴水の洗濯利用システム。
【請求項３】
請求項２に記載の浴水の洗濯利用システムにおける配管洗浄方法であって、前記洗濯機取水用ホースから洗濯機への浴水を停止した状態にて、浴槽内の浴水を、一方の浴水利用配管より洗濯機給水ホース接続用継手及び他方の浴水利用配管を経由して強制循環させることを特徴とする浴水の洗濯利用システムにおける配管洗浄方法。
【請求項４】
請求項２に記載の浴水の洗濯利用システムにおける配管洗浄方法であって、上記システムが、追炊きユニットに、それぞれ浴槽につながる一対の追炊き配管が接続されたものからなり、前記追炊きユニットの循環ポンプを利用し、前記洗濯機取水用ホースから洗濯機への浴水を停止した状態にて、浴槽内の浴水を、一方の浴水利用配管、洗濯機給水ホース接続用継手、他方の浴水利用配管、一方の追炊き配管、追炊きユニット及び他方の追炊き配管を経由して強制循環させることを特徴とする浴水の洗濯利用システムにおける配管洗浄方法。
【発明の詳細な説明】
【０００１】
【発明の属する技術分野】
本発明は、洗濯機給水ホース接続用継手、それを用いた浴水の洗濯利用システム及びそのシステムにおける配管洗浄方法に関するものである。
【０００２】
【従来の技術】
従来、浴水の洗濯利用方法としては、洗濯機に付属の浴水利用用のホースの基端を接続して、その先端を浴槽の浴水内に落し込み、洗濯機内に備え持つ自給式ポンプにより浴水をくみ上げて使用する方法が広く用いられている。
この洗濯機は別に蛇口にも接続されており、洗濯工程内の各段階でどちらの水を使用するか予めプログラムされており、洗濯機がその工程に応じて自給式ポンプよりくみ上げるかまたは上水側の弁を開く等の制御を行っている。
【０００３】
また、追炊き配管を利用した浴水の洗濯利用方法として、追炊き用ポンプで浴槽からくみ上げた浴水を蛇口から出す方法が実用化されているが、この場合、切換弁で上水と浴水を切り替えるため、洗濯機の工程に関わらず、一定時間経過後に浴水から浄水に切り替える制御となっている。
【０００４】
しかしながら、洗濯機付属のホースを使用する場合、洗濯機から浴槽までの床にホースを渡す必要があり、使用中邪魔であり、使用後は片づける必要があった。また、ホース内に湯垢が付着して衛生的でないのに、ホースの洗浄が困難であるという問題点がある。
【０００５】
また、追炊き配管を利用する場合、具体的には、殆どの洗濯機が、洗濯量によって、使用水量、洗い時間等を自動的に算出、制御しており、洗い−浴水、すすぎ▲１▼−浴水、すすぎ▲２▼−上水を自動的に切り替えて使用するのに対して、この方法では、一回目の浴水供給後一定時間水流が停止した後は上水を供給する制御となっている。このため、すすぎ▲１▼に上水を使用することになり、浴水が有効利用されない。また、洗濯機に浴水を供給する配管の洗浄が不可能であり、湯垢等による衛生面での問題点もある。
【０００６】
【発明が解決しようとする課題】
本発明は、上記のような従来の問題点を解消し、浴水を最大限有効利用することができ、配管や継手内の洗浄を行うことができる洗濯機給水ホース接続用継手、それを用いた浴水の洗濯利用システム及びそのシステムにおける配管洗浄方法を提供することを目的としてなされたものである。
【０００７】
【課題を解決するための手段】
本願の請求項１に記載の発明は、継手本体内にＵ字状に屈曲する通水路が形成され、該継手本体の一側方に、前記通水路の両端にそれぞれ連通する配管接続部が並列的に設けられ、該継手本体の他側方に前記通水路の中央部に連通する洗濯機取水用のホース接続部が設けられている洗濯機給水ホース接続用継手である。
【０００８】
本願の請求項２に記載の発明は、請求項１に記載の洗濯機給水ホース接続用継手を用いた浴水の洗濯利用システムであって、前記ホース接続用継手のホース接続部に、洗濯機取水用ホースが接続され、前記各配管接続部に、それぞれ浴槽につながる浴水利用配管が接続され、浴水を各浴水利用配管及びホース接続用継手を経由して洗濯機取水用ホースから洗濯機に給水可能とされている浴水の洗濯利用システムである。
【０００９】
本願の請求項３に記載の発明は、請求項２に記載の浴水の洗濯利用システムにおける配管洗浄方法であって、前記洗濯機取水用ホースから洗濯機への浴水を停止した状態にて、浴槽内の浴水を、一方の浴水利用配管より洗濯機給水ホース接続用継手及び他方の浴水利用配管を経由して強制循環させる浴水の洗濯利用システムにおける配管洗浄方法である。
【００１０】
本願の請求項４に記載の発明は、請求項２に記載の浴水の洗濯利用システムにおける配管洗浄方法であって、上記システムが、追炊きユニットに、それぞれ浴槽につながる一対の追炊き配管が接続されたものからなり、前記追炊きユニットの循環ポンプを利用し、前記洗濯機取水用ホースから洗濯機への浴水を停止した状態にて、浴槽内の浴水を、一方の浴水利用配管、洗濯機給水ホース接続用継手、他方の浴水利用配管、一方の追炊き配管、追炊きユニット及び他方の追炊き配管を経由して強制循環させる浴水の洗濯利用システムにおける配管洗浄方法である。
【００１１】
【作用】
本発明の洗濯機給水ホース接続用継手は、継手本体内にＵ字状に屈曲する通水路が形成され、該継手本体の一側方に、前記通水路の両端にそれぞれ連通する配管接続部が並列的に設けられ、該継手本体の他側方に前記通水路の中央部に連通する洗濯機取水用のホース接続部が設けられていることにより、浴水を最大限有効利用することができ、洗濯機に浴水を供給する浴水利用配管及び洗濯機給水ホース接続用継手内の浴水流路面に付着した湯垢等を洗い流すことができる、衛生面で優れた浴水の洗濯利用システムを構成する部材として好適に使用することができる。
【００１２】
本発明の浴水の洗濯利用システムは、前記ホース接続用継手のホース接続部に、洗濯機取水用ホースが接続され、前記各配管接続部に、それぞれ浴槽につながる浴水利用配管が接続され、浴水を各浴水利用配管及びホース接続用継手を経由して洗濯機取水用ホースから洗濯機に給水可能とされていることにより、ホース接続用継手を洗濯機置場近傍の壁に取り付け、その各配管接続部を洗濯機置場近傍の壁内に配置して、それらに浴槽につながる浴水利用配管を壁の間隙内に収納するような配管を行うことができるので、浴水利用配管が露出して邪魔になることがなく、また、ホース接続部を洗濯機置場側に突出させるように配設して、それに洗濯機取水用ホースを着脱することができるので、洗濯機取水用ホースの接続や出し入れの手間が少ない。また、洗濯工程の必要時に、浴水利用のポンプを作動させることにより、浴水を洗濯機取水用ホースから洗濯機に給水することができるので、浴水を最大限有効利用することができる。また、一方の浴水利用配管から、ホース接続用継手を経て、他方の浴水利用配管内に浴水を強制循環させるようにして、洗濯機に浴水を供給する浴水利用配管及び洗濯機給水ホース接続用継手内の浴水流路面に付着した湯垢等を洗い流すことができるので、衛生面で優れている。
【００１３】
本発明の浴水の洗濯利用システムにおける配管洗浄方法は、前記洗濯機取水用ホースから洗濯機への浴水を停止した状態にて、浴槽内の浴水を、一方の浴水利用配管より洗濯機給水ホース接続用継手及び他方の浴水利用配管を経由して強制循環させることにより、洗濯機に浴水を供給する浴水利用配管及び洗濯機給水ホース接続用継手内の浴水流路面に付着した湯垢等を洗い流すことが可能であり、衛生面で優れた浴水の洗濯利用システムとして利用することができる。
【００１４】
本発明の浴水の洗濯利用システムにおける配管洗浄方法は、上記システムが、追炊きユニットに、それぞれ浴槽につながる一対の追炊き配管が接続されたものからなり、前記追炊きユニットの循環ポンプを利用し、前記洗濯機取水用ホースから洗濯機への浴水を停止した状態にて、浴槽内の浴水を、一方の浴水利用配管、洗濯機給水ホース接続用継手、他方の浴水利用配管、一方の追炊き配管、追炊きユニット及び他方の追炊き配管を経由して強制循環させることにより、洗濯機に浴水を供給する浴水利用配管及び洗濯機給水ホース接続用継手内の浴水流路面に付着した湯垢等を洗い流すことが可能であり、衛生面で優れた浴水の洗濯利用システムとして利用することができる。
【００１５】
【発明の実施の形態】
以下、本発明の実施の形態を図面を参照して説明する。
図１は、本発明の洗濯機給水ホース接続用継手の一例の説明図であり、（ａ）はその断面図、（ｂ）は（ａ）におけるＩ−Ｉ線に沿う断面図である。
【００１６】
図１に示すように、この洗濯機給水ホース接続用継手１１は、中枢をなす継手本体１１１内に、Ｕ字状に屈曲する通水路１１１ａが形成されている。
【００１７】
継手本体１１１の一側方には、通水路１１１ａの両端にそれぞれ連通するように配管接続部１１２，１１３が、先端を下方に向けて屈曲するように並列的に突設されている。
一方の配管接続部１１２は、内筒部１１２ａと外筒部１１２ｂからなる差込み式となっており、接続すべき配管の一端部を差し込むだけで、止水状態にて嵌着できるようになっている。１１２ｃは内筒部１１２ａの外面に周方向に沿って設けられた凹溝に装着されたＯリングである。１１２ｄは抜け止めリングである。１１２ｅは袋ナットである。
他方の配管接続部１１３も、一方の配管接続部１１２と同様の構造の差込み式となっている（対応する図番を付してその詳細な説明は省略する）。
【００１８】
継手本体１１１の他側方には、通水路１１１ａの中央部に連通する洗濯機取水用のホース接続部１１４が突設されている。ホース接続部１１４には、その外周面に後述するワンタッチ接続具の係止リングが係止される突起部１１４ａが設けられている。
継手本体１１１のホース接続部側の外側には、壁にビスにて固定することができる壁固定板１１５が嵌着されている。
【００１９】
図２は、図１に示す洗濯機給水ホース接続用継手１１を用いた、本発明の浴水の洗濯利用システムの一例を説明する断面図である。
この浴水の洗濯利用システムでは、図３にも示すように、洗濯機給水ホース接続用継手１１は、洗濯機置場近傍の壁Ｋに設けられた貫通孔の周囲部（図示せず）にその壁固定板１１５が固定され、その各配管接続部１１２，１１３が洗濯機置場近傍の壁Ｋの間隙内に先端が下向きになるように突出させ、そのホース接続部１１４が洗濯機置場側に突出させるように配設して使用される。
【００２０】
この状態の洗濯機給水ホース接続用継手１１のホース接続部１１４に、ワンタッチ接続具１２を介して、洗濯機１３に備えられた洗濯機取水用ホース１３１が接続される。
【００２１】
ワンタッチ接続具１２は、筒状の接続具本体１２１の基端部にホース接続部１２１ａが設けられ、ホース接続部１２１ａの中央側の外周に周方向に沿う鍔部１２１ｃが設けられており、先端部に周方向に沿うスリット部１２１ｂが設けられ、そのスリット部１２１ｂに、一か所に切欠き部を有し拡縮径可能な係止リング１２２が装着されている。係止リング１２２の外周面は接続具本体１２１の先端側に向かうにつれて次第に拡径するような傾斜面とされている。
【００２２】
接続具本体１２１の中央部内面には、相対する面間にわたる支持部１２１ｄが架設され、支持部１２１ｄの中央部には、その先端側に突出する突起部１２１ｅが設けられている。接続具本体１２１の先端側には、第１のばね体１２３を内包する外筒１２４が装着されている。外筒１２４は基端部側が接続具本体１２１の鍔部１２１ｃの外径よりもやや大きな内径を有しており、先端内周に突条が設けられている。接続部本体１２１の先端部にばね体１２３を内包する外筒１２４が装着されたとき、第１のばね体１２３は外筒１２４の先端に設けられた突条と接続部本体１２１の間に介在されることとなる。
【００２３】
また、洗濯機給水ホース接続用継手１１には、通水路１１１ａ内であってホース接続部１１４側に、第２のばね体１２５を介して、Ｔ字状の押圧棒１２６が装着されている。１２７はＴ字状の押圧棒１２６の基板上に設けられたパッキングである。
【００２４】
そして、洗濯機給水ホース接続用継手１１のホース接続部１１４に、基端部のホース接続部１２１ａに洗濯機取水用ホース１３１が接続されたワンタッチ接続具１２の先端部を、外筒１２４の部分を手で支持して押し込むと、外筒１２４は第１のばね体１２３は圧縮するように手元側に引き戻されるとともに、突起部１２１ｅが押圧棒１２６を介して第２のばね体１２５を圧縮した状態となる。このとき、パッキング１２７が通水口を開き、通水可能状態となる。また、外筒１２４が係止リング１２２の外周面から離れ、スリット部１２１ｂ内で拡径してホース接続部１１４の突起部１１４ａを乗り超えた時点で、外筒１２４から手をはなすことより、外筒１２４がばね体１２５の反発力により接続部本体１２１の先端側に移動する。このとき、外筒１２４の先端内周面が係止リング１２２の外周面の傾斜面に摺動するようにして係止リング１２２を縮径させる。これにより係止リング１２２が突起部１１４ａに係止した接続状態となる。
【００２５】
また、取り外すときには、外筒１２４を手で支持して第１のばね体１２３を圧縮するように手元側に引き戻すと、係止リング１２２の外周面から外筒１２４がはずれて係止リング１２２が拡径して突起部１１４ａとの係止状態が外れるので、第２のばね体１２５の反発力により押圧棒１２６を介して接続部本体１２１が押し戻されて、取り外される。このとき、パッキング１２７が通水口を閉じた状態となる。
【００２６】
図２に示すように、洗濯機給水ホース接続用継手１１の、洗濯機置場近傍の壁Ｋの間隙内に下向きに突出するように配設された各配管接続部１１２，１１３には、それぞれ、壁Ｋ内を経て、浴槽内に連通する浴水利用配管１４，１５の一端部が接続されている。
尚、特に図示しないが、壁Ｋには、その間隙内に配設された各配管接続部１１２，１１３に浴水利用配管１４，１５の一端部を着脱するための窓が設けられる。
浴槽接続用継手１６は、図４にも示すように、継手本体１６１の一側方に浴水の取水口１６２が設けられ、取水口１６２には目皿１６３が被せられており、他側方に２個の配管接続部１６４，１６５が並列的に突設されている。
【００２７】
図２に示すように、各配管接続部１６４，１６５に、浴水利用配管１４，１５の他端部が接続されている。
この状態で、洗濯機取水用ホース１３１のポンプを作動させると、浴水を浴槽接続用継手１６、２本の浴水利用配管１４，１５、洗濯機給水ホース接続用継手１１を経由して、洗濯機取水用ホース１３１から洗濯機１３に給水可能な状態となる。
この際、同時に２本の浴水利用配管１４，１５を経由して給水できるので、１本の場合に比べて浴水利用配管１４，１５として小径の管を用いることができる。
【００２８】
図５は、請求項３に係る本発明の浴水の洗濯利用システムにおける配管洗浄方法の一例を説明する断面図である。
図５に示すように、この洗濯利用システムにおける配管洗浄方法では、図２を参照して説明した浴水の洗濯利用システムにおいて、洗濯機取水用ホースから洗濯機への浴水を停止した状態にしておく。そして、浴槽接続用継手１６の目皿１６３を取り外した状態の取水口１６２より、配管接続部１６４の通水路に連通するように短管１６５を経由して、洗浄剤を加えた浴水を圧入する。これにより、配管接続部１６４、一方の浴水利用配管１５、配管接続部１１３、継手本体１１１、他方の配管接続部１１２、浴水利用配管１４及び配管接続部１６３の順路にて浴水を強制循環させる。その結果、流路内の汚れが強制循環させた浴水により掃除されることとなる。
【００２９】
図６は、請求項４に係る本発明の浴水の洗濯利用システムにおける配管洗浄方法の一例を説明する断面図である。
図６に示すように、この洗濯利用システムにおける配管洗浄方法では、図２を参照して説明した浴水の洗濯利用システムにおいて、浴槽接続用継手１７を使用する。
この浴槽接続用継手１７は、図７にも示すように、継手本体１７１の一側方に、内筒で囲まれた部分からなる追炊き用入口１７２と、内筒と外筒で囲まれた部分からなる追炊き用出口１７３が設けられ、それらには目皿１７４が被せられており、他側方に、追炊き用入口１７２に連通する２個の配管接続部１７５，１７７と、追炊き用出口１７３に連通する２個の配管接続部１７６，１７８が並列的に突設されている。
【００３０】図６に示すように、各配管接続部１７４，１７５に、洗濯機給水ホース接続用継手１１に各一端部が接続された浴水利用配管１４，１５の他端部が接続され、各配管接続部１７６，１７７に、追炊きユニット２０にその一端部がそれぞれ接続された追炊き配管１８，１９の各他端部が接続されている。
洗濯機取水用ホースから洗濯機への浴水を停止した状態にておく。また、浴槽接続用継手１７は目皿１７４を取り外し、追炊き用入口１７２を蓋１７９にて塞いだ状態にしておく。また、浴水には市販の追炊き用洗浄剤を加えておく。
【００３１】
この状態にて、追炊きユニット２０に備える循環ポンプを作動させて、浴水を、追炊き用出口１７３、配管接続部１７６、一方の浴水利用配管１５、配管接続部１１３、継手本体１１１、配管接続部１１２、他方の浴水利用配管１４、配管接続部１７５、追炊き用入口１７２、配管接続部１７７、一方の追炊き配管１８、追炊きユニット２０、他方の追炊き配管１９、配管接続部１７８及び追炊き用出口１７３の順路にて浴水を循環させる。その結果、流路内の汚れが強制循環させた浴水により掃除されることとなる。
尚、内筒と外筒で囲まれた部分からなる追炊き用出口１７３を隔壁にて上下に２分割するようにして浴水を循環させると、順路の最終段階で追炊き用出口１７３より一旦浴槽内に排出されることとなるので好ましい。
【００３２】
【発明の効果】
本発明の洗濯機給水ホース接続用継手は、上記のような構成とされているので、浴水を最大限有効利用することができ、洗濯機に浴水を供給する浴水利用配管及び洗濯機給水ホース接続用継手内の浴水流路面に付着した湯垢等を洗い流すことができる、衛生面で優れた浴水の洗濯利用システムを構成する部材として好適に使用することができる。
【００３３】
本発明の浴水の洗濯利用システムは、上記のような構成とされているので、洗濯機取水用ホースの接続や出し入れの手間が少なく、浴水を最大限有効利用することができ、洗濯機に浴水を供給する浴水利用配管及び洗濯機給水ホース接続用継手内の浴水流路面に付着した湯垢等を洗い流すことができ、衛生面で優れている。
【００３４】
請求項３に係る本発明の浴水の洗濯利用システムにおける配管洗浄方法は、上記のような構成とされているので、洗濯機に浴水を供給する浴水利用配管及び洗濯機給水ホース接続用継手内の浴水流路面に付着した湯垢等を洗い流すことが可能であり、衛生面で優れた浴水の洗濯利用システムとして利用することができる。
【００３５】
請求項４に係る本発明の浴水の洗濯利用システムにおける配管洗浄方法は、上記のような構成とされているので、洗濯機に浴水を供給する浴水利用配管及び洗濯機給水ホース接続用継手内の浴水流路面に付着した湯垢等を洗い流すことが可能であり、衛生面で優れた浴水の洗濯利用システムとして利用することができる。
【図面の簡単な説明】
【図１】本発明の洗濯機給水ホース接続用継手の一例の説明図であり、（ａ）はその断面図、（ｂ）は（ａ）におけるＩ−Ｉ線に沿う断面図である。
【図２】図１に示す洗濯機給水ホース接続用継手を用いた、本発明の浴水の洗濯利用システムの一例を説明する断面図である。
【図３】図１に示す洗濯機給水ホース接続用継手を用いた、本発明の浴水の洗濯利用システムの一例の一部を説明する断面図である。
【図４】図２を参照して説明する方法に使用する浴槽配管継手の説明図であり、（ａ）はその断面図、（ｂ）目皿を外した状態の、取水口側からみた側面図である。
【図５】請求項３に係る本発明の浴水の洗濯利用システムにおける配管洗浄方法の一例を説明する断面図である。
【図６】請求項４に係る本発明の浴水の洗濯利用システムにおける配管洗浄方法の一例を説明する断面図である。
【図７】図６を参照して説明する方法に使用する浴槽配管継手の説明図であり、（ａ）はその断面図、（ｂ）目皿を外した状態の、取水口側からみた側面図である。
【符号の説明】
１１　洗濯機給水ホース接続用継手
１２　ワンタッチ接続具
１４，１５　浴水利用配管
１６，１７　浴槽接続用継手
１８，１９　追炊き管路
２０　追炊きユニット
１１１　継手本体１１１
１１１ａ　通水路
１１２，１１３，１６３，１６４，１７５，１７６，１７７，１７８　配管接続部
１１４　ホース接続部
【図１】
2004121401.tif 000003
【図２】
2004121401.tif 000004
【図３】
2004121401.tif 000005
【図４】
2004121401.tif 000006
【図５】
2004121401.tif 000007
【図６】
2004121401.tif 000008
【図７】
2004121401.tif 000009